(57)【要約】      （修正有）【課題】紙厚を厚くしてコスト高を招来することなく、また組立操作も行いやすく機械的生産にも好適な包装用紙箱を提供する。【解決手段】四周側壁の各々が内外二重壁と該二重壁に連結する上壁とからなる上面開口の箱本体40と、箱本体に40被せられる蓋体１とから構成されている。蓋体はその四周側壁が内外二重壁からなると共に、一対の対向側壁が、その中間高さ位置に、箱本体の側壁上壁41ａに当接する段部６を備えている。蓋体は、段部を備えていない側壁の内壁に、隣接する段部内壁に係止する補強片４が切り起こし形成される一方、段部垂壁部６ａに、補強片４が嵌入係止される係止孔５が設けられ、補強片が隣接する段部垂壁部に斜状に渡しかけられている。【選択図】図１
0003130333.tif 000002
【実用新案登録請求の範囲】
【請求項１】
四周側壁の各々が内外二重壁と該二重壁に連結する上壁とからなる上面開口の箱本体と、該箱本体に被せられる蓋体とから構成され、該蓋体はその四周側壁が内外二重壁からなると共に、一対の対向側壁が、その中間高さ位置に、箱本体の側壁上壁に当接する段部を備えて、箱本体及び蓋体の各々が１枚のブランクシートから作製されてなる包装用紙箱において、
前記蓋体は、段部を備えていない側壁の内壁に、隣接する段部内壁に係止する補強片が切り起こし形成される一方、段部垂壁部に、前記補強片が嵌入係止される係止孔が設けられ、前記補強片が隣接する段部内壁に斜状に渡しかけられていることを特徴とする包装用紙箱。
【請求項２】
補強片の先端に突部が延設され、補強片が斜状に渡しかけられた状態の下で、前記突部が前記係止孔の内縁に当接するものと設定されている請求項１に記載の包装用紙箱。
【考案の詳細な説明】
【技術分野】
【０００１】
この考案は、包装用紙箱、特に箱本体の四周側壁の各々が内外二重壁部と該二重壁部に連設された上壁部とを有する一方、箱本体に被せられる蓋体の側壁中間高さ位置に前記上壁部に当接する段部を備えている包装用紙箱に関するものである。
【背景技術】
【０００２】
箱本体が四周側壁の各々が内外二重壁部と該二重壁部に連設された上壁部とを有するいわゆる額縁形式の包装用紙箱は、頑丈そうな印象を与え、実際にも耐荷重性に優れていることから、例えば、贈答品用の包装用紙箱として、ウイスキー、ブランデーあるいはワイン等の比較的重量がありかつ値の張る商品の包装に用いられることが多い。
【０００３】
また、このような包装用紙箱は、酒店等の店頭においては、蓋体を箱本体から外した後、その天地を逆にして商品を収容したままの箱本体を入れ、商品を展示するために用いられることもある。蓋体の段部が箱本体を底上げして持ち上げた格好になり、商品の見映えも良好になるからである。
【０００４】
しかしながら、蓋体の段部はそもそも商品の荷重を受けることを目的として作製されているものではないので、上記のような使い方をすると、蓋体の段部が商品の荷重に耐えきれずに潰れてしまうことがあった。
【０００５】
もとより、蓋体の紙厚を厚くすることによりこのような問題も解決できるが、そうすると材料費が高くなると共に、展開状態から箱形態への組み立て操作がいささか行い難くなってくる。
【０００６】
また、実開昭５８−１９２２２２号公報に開示されているような、一側壁の内壁部から隣接する側壁に斜状に渡しかける補強片を設ける一方、その隣接する側壁からも前記補強片を有する側壁に斜状に渡しかける補強片を設けた紙箱も公知であるが、この紙箱は組立がいささか面倒であることがわかった。
【特許文献１】実開昭５８−１９２２２２号公報（第２図）
【考案の開示】
【考案が解決しようとする課題】
【０００７】
この考案は、上記問題点に鑑み、紙厚を厚くしたりしてコスト高を招来することなく、また組立操作も行いやすく機械的生産にも好適な包装用紙箱を提供しようとするものである。
【課題を解決するための手段】
【０００８】
この考案は、上記目的を達成するために、四周側壁の各々が内外二重壁と該二重壁に連結する上壁とからなる上面開口の箱本体と、該箱本体に被せられる蓋体とから構成され、該蓋体はその四周側壁が内外二重壁からなると共に、一対の対向側壁が、その中間高さ位置に、箱本体の側壁上壁に当接する段部を備えて、箱本体及び蓋体の各々が１枚のブランクシートから作製されてなる包装用紙箱において、前記蓋体は、段部を備えていない側壁の内壁に、隣接する段部垂壁部に係止する補強片が切り起こし形成される一方、段部内壁に、前記補強片が嵌入係止される係止孔が設けられ、前記補強片が隣接する段部内壁に斜状に渡しかけられている構成を採用する。
【０００９】
補強片は、その補強片の先端に突部が延設され、補強片が斜状に渡しかけられた状態の下で、前記突部が前記係止孔の内縁に当接するものと設定されていることが好ましい。
【考案の効果】
【００１０】
この考案に係る包装用紙箱は、蓋体が、段部を備えていない側壁の内壁に、隣接する段部内壁に係止する補強片が切り起こし形成される一方、段部内壁に、前記補強片が嵌入係止される係止孔が設けられ、前記補強片が隣接する段部内壁に斜状に渡しかけられているので、蓋体上方から加えられる荷重が補強片を通じて箱本体側壁上壁部に分散され、耐圧・坐屈強度が増加する。
【００１１】
また、店頭での展示の際に、蓋体の天地を逆にして蓋体に商品を収納した箱本体を嵌め入れた場合にも箱本体の荷重が、段部と補強片とに分散されるので、段部の圧潰、箱本体の落ち込みが防止される。
【００１２】
さらに、補強片の渡しかけは、内壁から補強片部を切り起こして、段部内壁部の係止孔に係止させるだけで良いので、組立も簡単に行える。
【００１３】
補強片が、その先端に突部が延設され、補強片が斜状に渡しかけられた状態の下で、前記突部が前記係止孔の内縁に当接するものと設定されている場合には、補強片の渡しかけが確実となる。
【考案を実施するための最良の形態】
【００１４】
以下、この考案の実施形態を図面に基づいて説明する。
【００１５】
図１は、この考案に係る包装用紙箱の一実施形態の蓋体（１）と箱本体（４０）とを示す斜視図、図２は、箱本体（４０）に蓋体（１）を被せた状態の要部断面図、図３は蓋体（１）の展開状態平面図である。
【００１６】
蓋体（１）は、四周側壁（２）（２）（３）（３）がいずれも内外二重壁を有し、図１に示すように一対の対向側壁（３）（３）の各々の外壁部（３ａ）と内壁部（３ｂ）とが中間高さ位置の上方において互いに離間した態様に形成され段部（６）（６）が設けられている。
【００１７】
この段部（６）を有する内壁部（３ｂ）の段部垂壁（６ａ）に係止孔（５）（５）が設けられ、隣接する側壁（２）（２）の内壁部（２ｂ）から切り起こし形成された補強片（１５）…の先端が嵌入係止されている。
【００１８】
この蓋体（１）を図３に示す展開状態の平面図に基づいて、さらに詳しく説明すると、蓋体（１）は、１枚のブランクシートから打ち抜かれてなるもので、矩形の頂壁（１０）の四周に前後両側壁（２）（２）の外壁部（２ａ）（２ａ）及び左右両側壁（３）（３）の外壁部（３ａ）（３ａ）が折目（２１）（２１）（２２）（２２）を介して連設されている。
【００１９】
隣接する外壁部（２ａ）（３ａ）どうしは、各外壁部端縁から折目（２３）（２４）を介して連設されると共に互いに折目（２５）を介して連設されている三角形状連結片（７）（８）を介して連結されている。前後側壁がわの三角形状連結片（７）の遊端部には折目（２６）を介して舌片（９）が連設されている。
【００２０】
前後壁外壁部（２ａ）の上縁には、折目（２７）を介して内壁部（２ｂ）が連設され、この内壁部（２ｂ）の下端に折目（２８）を介して頂壁当接片（２ｃ）が連設されている。
【００２１】
この内壁部（２ｂ）の上部両端には、先端に突部（４ａ）を有する切り起こし補強片（４）が設けられている。（２９）及び（３０）は、補強片（４）を切り起こすための切目である。
【００２２】
また、内壁部（２ｂ）の両端には、前記補強片（４）の下方に折目（３５）を介して係止片（１２）（１２）が連設され、後述する隣接する側壁内壁部（３ｂ）両端の切欠部（１３）（１３）に対応する形状に形成されている。この係止片（１２）は、蓋体の組立状態の下で、前記切欠部（１３）に嵌り込むような格好で係止されるものとなされている。
【００２３】
一方、左右壁外壁部（３ａ）（３ａ）の上縁には、折目（３１）を介して内壁部（３ｂ）が連設され、該内壁部（３ｂ）の上縁に段部（６）、段部垂壁部（６ａ）、頂壁当接片（３ｃ）が折目（３２）（３３）（３４）を介して順次連設されている。
【００２４】
段部垂壁部（６ａ）の両端には、折目（４３）を介して差し込み片（１１）（１１）が連設されると共に、両端部に前記切り起こし補強片（４）（４）の先端部が嵌入する係止孔（５）（５）が設けられている。
【００２５】
また、内壁部（３ｂ）の両端には、前記前後壁内壁部の係止片（１２）に対応する形状の切欠部（１３）が設けられている。
【００２６】
この展開状態から所要部位を折り返し、差し込み、貼着することにより蓋体（１）の所期する形態が得られる。その組立時の最後に、切り起こし補強片（４）（４）を内壁部（２ｂ）（２ｂ）から切り起こし、隣接する段部垂壁部（６ａ）（６ａ）に渡しかけ、その先端を係止孔（５）（５）に嵌入させることにより、蓋体（１）の組立が完了する。
【００２７】
箱本体（４０）は、１枚のブランクシートから作製され、四周側壁（４１）（４１）（４２）（４２）の各々が内外二重壁と該二重壁に連結する上壁部（４１ａ）（４２ａ）とを備え、上面が開口したいわゆる額縁状箱の従来公知の形態のものであるので、その詳細な説明は省略する。
【００２８】
而して、この実施形態の包装用紙箱の箱本体（４０）に商品を収納し、蓋体（１）を被せると、図３に示すように、補強片（４）（４）…が、箱本体側壁の上壁部（４１ａ）の上に位置することになる。このような状態の包装用紙箱の上に、同様に商品が収納された包装用紙箱を載置すると、上段の包装用紙箱の荷重が、下段の蓋体（１）の段部（６）を介して箱本体（４０）の左右両側壁（４２）（４２）の上壁部（４２ａ）（４２ａ）にかかるだけでなく、補強片（４）（４）を介して前後側壁（４１）（４１）にもかかって分散されるので、蓋体（１）の耐圧・坐屈強度が高まることになる。
【００２９】
また、店頭での展示の際に、蓋体（１）の天地を逆にした蓋体（１）に、商品を収納した箱本体（４０）を嵌め入れた場合にも、箱本体（４０）の荷重が、段部（６）（６）と補強片（４）（４）とに分散されるので、段部（６）の圧潰、箱本体（４０）の落ち込みが防止される。
【図面の簡単な説明】
【００３０】
【図１】この考案に係る包装用紙箱の一実施形態の斜視図である。
【図２】同包装用紙箱の閉蓋状態の要部断面図である。
【図３】同包装用紙箱の蓋体の展開状態の平面図である。
【符号の説明】
【００３１】
１…蓋体
２…前後側壁
３…左右側壁
４…補強片
４ａ…突部
５…係止孔
６…段部
６ａ…段部垂壁部
４０…箱本体
４１…前後側壁
４１ａ…上壁
４２…左右側壁
４２ａ…上壁
【図１】
0003130333.tif 000003
【図２】
0003130333.tif 000004
【図３】
0003130333.tif 000005